【手続補正書】
【提出日】平成17年11月1日(2005.11.1)
【手続補正１】
【補正対象書類名】特許請求の範囲
【補正対象項目名】全文
【補正方法】変更
【補正の内容】
【特許請求の範囲】
【請求項１】
物体、特にその表面に細長い構造体を備えている物体を造形する方法であって、
プレフォームが、表面(１３)に、一方向に沿って延びている構造体(２〜１１,２Ａ,１１Ａ,２Ｂ,１１Ｂ,４１〜５０,５２〜６４,６６〜７２)を設けられ、
構造体を設けられたプレフォームが、少なくとも１つの領域(１４)において加熱され、そして、
構造体を設けられているプレフォームが、所望されている断面形状又は最終的な断面形状に実質的に対応している断面をプレフォームの少なくとも部分が採るまで、加熱された状態で線引きされ、
ここで、プレフォームは、ほぼ１０５ｄＰａｓ〜１０１０ｄＰａｓの範囲内の粘度で線引きされ、
プレフォームは、放射線であって、材料を通過する単一のパスの間に、この放射線のパワーの高々半分が吸収されるようなスペクトル分布を有しているものにより、加熱される、
方法。
【請求項２】
放射線のパワーが、間接的な放射線成分を備えている請求項１に記載の方法。
【請求項３】
放射線のパワーの３０％未満又は１０％未満が、材料を通過する単一のパスの間に吸収される請求項１又は請求項２に記載の方法。
【請求項４】
短波長赤外領域にパワー密度の重心を備えている赤外線が、使用される請求項１〜請求項３のいずれか一項に記載の方法。
【請求項５】
１５００°Ｋ超の、好ましくは２０００°Ｋ超の色温度を備えている熱放射線が、加熱に使用される請求項１〜請求項４のいずれか一項に記載の方法。
【請求項６】
プレフォームが、凹部を設けられている請求項１〜請求項５のいずれか一項に記載の方法。
【請求項７】
プレフォームの表面が、
−研削、
−プレス金型内での熱成形、
−打抜プレス、
−処理されるべき表面の所望されている形状のネガを実質的に表しているスタンプによる熱押型、
−少なくとも１本の異形ストランドの融着、
のいずれか少なくとも１つの工程によって造形される請求項１〜請求項６のいずれか一項に記載の方法。
【請求項８】
プレフォームが、ほぼ１００℃〜２０００℃の範囲内の温度での加熱状態で線引きされる請求項１〜請求項７のいずれか一項に記載の物体を造形する方法。
【請求項９】
プレフォームが、ほぼ８５０℃の温度での加熱状態で線引きされる請求項１〜請求項８のいずれか一項に記載の物体を造形する方法。
【請求項１０】
プレフォームが、ほぼ１０５ｄＰａｓ〜１０１０ｄＰａｓの範囲内の粘度での加熱状態で線引きされる請求項１〜請求項９のいずれか一項に記載の物体を造形する方法。
【請求項１１】
プレフォームが、ほぼ１０８ｄＰａｓの粘度での加熱状態で線引きされる請求項１〜請求項１０いずれか一項に記載の物体を造形する方法。
【請求項１２】
造形物体が、刻みを付けて折ることにより、所定の長さに切断され及び/又は個々の物体に分割される請求項１〜請求項１１のいずれか一項に記載の物体を造形する方法。
【請求項１３】
造形され、次いで、刻みを付けて折ることにより、所定の長さに切断された及び/又は個々の物体に分割された物体が、それらの表面において面研削される請求項１〜請求項１２のいずれか一項に記載の物体を造形する方法。
【請求項１４】
プレフォーム及び線引きされた物体が、ガラス、特にボロフロートガラス、及び石英ガラスから成っている請求項１〜請求項１３のいずれか一項に記載の物体を造形する方法。
【請求項１５】
プレフォーム及び線引きされた物体が、ガラス−セラミック、特に実質的に熱膨張しないところの温度範囲を備えているガラス−セラミックから成っている請求項１〜請求項１４のいずれか一項に記載の物体を造形する方法。
【請求項１６】
プレフォーム及び線引きされた物体が、プラスチック、特に熱可塑性プラスチックから成っている請求項１〜請求項１５のいずれか一項に記載の物体を造形する方法。
【請求項１７】
物体(１５)であって、この物体の一方向に沿って少なくとも延びている構造体(２〜１１,２Ａ,１１Ａ,２Ｂ,１１Ｂ,４１〜５０,５２〜６４,６６〜７２)を備えているものを作製する請求項１〜請求項１６のいずれか一項に記載の方法であって、出発物体(１)が、少なくとも２つの側部(１２,１３)に、一方向に沿って延びている構造体(２〜１１,２Ａ,１１Ａ,２Ｂ,１１Ｂ,４１〜５０,５２〜６４,６６〜７２)を設けられている方法。
【請求項１８】
少なくとも２つの側部(１２,１３)が、実質的に互いに反対の位置にある側部である請求項１７に記載の方法。
【請求項１９】
出発物体が、断面において、作製されるべき物体の正確で細長い複製である請求項１〜請求項１８のいずれか一項に記載の方法。
【請求項２０】
被加熱領域が、空間に関する所定の場所に保持されると共に、プレフォームが、前進させられる請求項１〜請求項１９のいずれか一項に記載の方法。
【請求項２１】
請求項１〜請求項２０又は請求項４６〜請求項４７のいずれか一項に記載の方法を用いて作製される造形物体。
【請求項２２】
請求項１〜請求項２０又は請求項４６〜請求項４７のいずれか一項に記載の方法によって作製される造形物体であって、造形物体の縦軸に実質的に平行に延びている細長い構造体を備えている基体を具備している造形物体。
【請求項２３】
構造体が、溝を画成している凹部から成っている請求項２２に記載の造形物体。
【請求項２４】
溝が、実質的にＶ字形の断面を有している請求項２３に記載の造形物体。
【請求項２５】
溝が、実質的に長方形又は台形の断面を有している請求項２４に記載の造形物体。
【請求項２６】
溝が、実質的にＵ字形の断面を有している請求項２５に記載の造形物体。
【請求項２７】
溝の側壁の傾斜が、実質的に前以て定められ得るプレフォームの傾斜角に対応している請求項２３〜請求項２６のいずれか一項に記載の造形物体。
【請求項２８】
導波路が、溝内へ挿入されている請求項２３〜請求項２７のいずれか一項に記載の造形物体。
【請求項２９】
基体と異なる屈折率を有している材料が、溝内へ挿入されており、且つ、溝内への導波路が、溝内に画成されている請求項２２〜請求項２８のいずれか一項に記載の造形物体。
【請求項３０】
実質的にＶ字形の断面を備えている溝(２Ａ,１１Ａ,３〜１０,４１〜４５,５２〜６４)の側面が、造形物体(１５)の表面に対して種々の角度を採用している請求項２３〜請求項２９のいずれか一項に記載の造形物体。
【請求項３１】
基体(１８)が、一の側部(１７)において、少なくとも１つの第１の細長い構造体(２Ａ,１１Ａ,３〜１０,４０〜４６)を有していると共に、少なくとも１つの更なる側部(１６)において、少なくとも１つの第２の細長い構造体(２Ｂ,１１Ｂ,５２〜６４)を有しており、これらの構造体が、造形物体(１５)の縦軸に実質的に平行に延びている請求項２１〜請求項３０のいずれか一項に記載の造形物体。
【請求項３２】
少なくとも１つの第１の構造体(２Ａ,１１Ａ,３〜１０,４０〜４６,７０,７２)と少なくとも１つの第２の構造体(２Ｂ,１１Ｂ,５２,６４,６６,６８)とが、互いに噛合する輪郭を有している請求項３１に記載の造形物体。
【請求項３３】
少なくとも１つの第１の構造体(２Ａ,１１Ａ,３〜１０,４０〜４６,７０,７２)と少なくとも１つの第２の構造体(２Ｂ,１１Ｂ,５２〜６４,６６,６８)とが、相補的な輪郭を有している請求項３１又は請求項３２に記載の造形物体。
【請求項３４】
請求項２１〜請求項３３のいずれか一項に記載の造形物体から成るスペーサ。
【請求項３５】
請求項２１〜請求項３３のいずれか一項に記載の造形物体から成る回折格子、特に、透過回折格子又は反射回折格子。
【請求項３６】
ブレージング、特に、回折させられた光の少なくとも１つの回折次数における比率における増加が、溝の形状によってもたらされる請求項３５に記載の回折格子。
【請求項３７】
請求項２１〜請求項３３のいずれか一項に記載の造形物体から成る、分布ブラッグ反射を備えている回折格子。
【請求項３８】
請求項３５、請求項３６又は請求項３７に記載の回折格子を具備している分光計。
【請求項３９】
請求項２１〜請求項３３のいずれか一項に記載の物体を具備している通信技術装置。
【請求項４０】
請求項１〜請求項２０又は請求項４６〜請求項４７のいずれか一項に記載の方法を実行する装置であって、
−プレフォーム(１)の少なくとも１つの領域(１４)を加熱する放射線源(８４)と、
−プレフォーム(１)を一の側において保持する受容部品と、
−プレフォームを線引きする線引き装置と、
を具備しており、
放射線減からの放射線が、スペクトル分布であって、材料を通過する単一のパスの間に放射線のパワーの高々半分が吸収されるようなものを有している、
装置。
【請求項４１】
プレフォーム(１)を前進させるデバイスを備えている請求項４０に記載の装置。
【請求項４２】
放射線源が、加熱マッフル内に配設されている請求項４０又は請求項４１に記載の装置。
【請求項４３】
放射線源が、少なくとも１つの赤外線放射装置を具備している請求項４０〜請求項４２のいずれか一項に記載の装置。
【請求項４４】
赤外線放射装置が、１５００°Ｋ超又は２０００°Ｋ超の色温度を備えている熱放射線を放出し得る請求項４３に記載の装置。
【請求項４５】
放射線源からの放射線を散乱又は反射させる少なくとも１つの素子を備えている請求項４０〜請求項４２のいずれか一項に記載の装置。
【請求項４６】
特に請求項１〜請求項２０のいずれか一項に記載されている、物体、特に細長い構造体をその表面に備えている物体を造形する方法であって、
−プレフォームが、表面(１３)に、一方向に沿って延びている構造体(２〜１１,２Ａ,１１Ａ,２Ｂ,１１Ｂ,４１〜５０,５２〜６４,６６〜７２)を設けられ、
−構造体を設けられたプレフォーム(１)が、少なくとも１つの領域(１４)において加熱され、そして、
−構造体を設けられているプレフォームが、所望されている断面形状又は最終的な断面形状に実質的に対応している断面をプレフォームの少なくとも部分が採るまで、加熱された状態で線引きされ、
ここで、プレフォームは、ほぼ１０５ｄＰａｓ〜１０１０ｄＰａｓの範囲内の粘度で線引きされ、
加熱された領域における横断面全体に亘る最大温度差が、０.５℃未満である、
方法。
【請求項４７】
加熱された領域における横断面全体に亘る最大温度差が、０.１℃未満である請求項４６に記載の方法。